(57)【特許請求の範囲】
【請求項１】
水石鹸を収容するためのタンクと、
前記タンクから供給される水石鹸を吐出する吐出口と、前記吐出口からの水石鹸の吐出停止を行う弁機構とを有し、壁面などの固定物に取り付け可能な本体部と、
前記タンクを前記本体部のタンク導入部へ着脱可能に取り付けるための連結機構と、を備えた水石鹸吐出装置において、
前記連結機構として、
前記タンクに突設された円筒状開口部の外周に回転可能に装着された筒状の連結部材と、
前記連結部材が前記円筒状開口部から抜けないように保持するストッパ部材と、
前記連結部材の外周に設けられた雄ネジ部を螺合させるため前記本体部の前記タンク導入部の内周に設けられた雌ネジ部と、
工具を係合させるため前記連結部材に設けられた工具係合部と、を設けたことを特徴とする水石鹸吐出装置。
【請求項２】
前記工具係合部を、前記連結部材に形成された、前記タンク導入部の開口端よりも大きな外径を有する拡径部の外周に設けた請求項１記載の水石鹸吐出装置。
【請求項３】
前記工具係合部を、前記連結部材の外周に凹設された周溝の底面に設けた請求項１記載の水石鹸吐出装置。
【請求項４】
前記工具係合部として、前記連結部材の回転軸心を挟んで互いに平行をなす少なくとも一対の平面部を前記連結部材の外周に設けた請求項１〜３のいずれかに記載の水石鹸吐出装置。
【請求項５】
前記タンクを前記本体部に対して回転不能に連結するため、前記ストッパ部材と前記タンク導入部との間に互いに係脱可能な嵌合手段を設けた請求項１〜４のいずれかに記載の水石鹸吐出装置。
【請求項６】
前記嵌合手段として、前記ストッパ部材の外周および前記タンク導入部の内周に互いに嵌合可能なスプライン構造を設けた請求項５記載の水石鹸吐出装置。
【発明の詳細な説明】
【技術分野】
【０００１】
本発明は、駅、ホテル、デパート、飲食店などの公共的施設に設けられたトイレや洗面所などに配置される水石鹸吐出装置に関する。
【背景技術】
【０００２】
駅、ホテル、飲食店などの公共的施設に設けられたトイレや洗面所などには、手洗い用の水石鹸が収容された水石鹸吐出装置が配置されている。従来の水石鹸吐出装置として、例えば、特許文献１に記載された「水石鹸供給栓」がある。この「水石鹸供給栓」は、壁面などに固定される本体部（栓ボディー）と、この本体部の上方に配置された水石鹸タンクと、を備えた構造である。使用者が、本体部の正面に突設された押しボタンを押すと、本体部内に形成された流路に配置された弁体が移動して当該流路が開放状態となり、水石鹸タンク内に収容された水石鹸が前記流路を通じて下方へ移動し、本体部下面に開設された流出口から流出する。
【０００３】
【特許文献１】特開平７−２２２６９３号公報
【発明の開示】
【発明が解決しようとする課題】
【０００４】
特許文献１記載の水石鹸吐出装置（水石鹸供給栓）においては、水石鹸タンクの下端開口部外周に設けられた雄ネジ部を、本体部の上面開口部内周に設けられた雌ネジ部に直接螺合することによって水石鹸タンクが本体部に固定されている。従って、水石鹸タンクを回転させると簡単に螺合部分が緩んで隙間が生じたり、水石鹸タンクが本体部から外れたりする。このため、螺合部分の隙間や外れた水石鹸タンクの開口部などから水石鹸が流出してしまい、水石鹸の無駄が発生している。また、悪戯などにより、本体部から取り外された水石鹸タンクが持ち去られることもある。
【０００５】
本発明が解決しようとする課題は、悪戯や過誤によりタンクに回転力が加えられても、タンクと本体部との連結部分が緩んだり、タンクが本体部から外れたりすることのない、水石鹸吐出装置を提供することにある。
【課題を解決するための手段】
【０００６】
本発明の水石鹸吐出装置は、
水石鹸を収容するためのタンクと、
前記タンクから供給される水石鹸を吐出する吐出口と、前記吐出口からの水石鹸の吐出停止を行う弁機構とを有し、壁面などの固定物に取り付け可能な本体部と、
前記タンクを前記本体部のタンク導入部へ着脱可能に取り付けるための連結機構と、を備えた水石鹸吐出装置において、
前記連結機構として、
前記タンクに突設された円筒状開口部の外周に回転可能に装着された筒状の連結部材と、
前記連結部材が前記円筒状開口部から抜けないように保持するストッパ部材と、
前記連結部材の外周に設けられた雄ネジ部を螺合させるため前記本体部の前記タンク導入部の内周に設けられた雌ネジ部と、
工具を係合させるため前記連結部材に設けられた工具係合部と、を設けたことを特徴とする。
【０００７】
このような構成とすれば、タンクに突設された円筒状開口部を本体部のタンク導入部に接続し、円筒状開口部の外周に装着された連結部材外周の雄ネジ部を、タンク導入部内周の雌ネジ部に螺合させ、連結部材に設けられた工具係合部にスパナなどの工具を係合させて当該連結部材を締め付ければ連結部材がタンク導入部に固定される。連結部材はタンクの円筒状開口部の外周に離脱不能に装着されているため、当該連結部材がタンク導入部に固定されることにより、円筒状開口部もタンク導入部に離脱不能に固定され、これによって、タンクは本体部のタンク導入部と連通した状態で連結される。
【０００８】
連結部材はタンクの円筒状開口部の外周に回転可能に装着されているため、タンクに回転力が加えられた場合、タンクのみが回転して、連結部材が供回りすることはない。従って、悪戯や過誤によりタンクに回転力が加えられることがあっても、タンクと本体部との連結部分が緩んだり、タンクが本体部から外れたりすることがない。
【０００９】
ここで、前記工具係合部を、前記連結部材に形成された、前記タンク導入部の開口端よりも大きな外径を有する拡径部の外周に設けることができる。このような構成とすれば、タンク導入部の開口端より大きな外径の拡径部の外周に工具係合部が位置し、当該工具係合部に対して容易に工具を係合可能となるため、連結部材を締めたり、緩めたりする際の作業性が向上する。また、連結部材を締め付けていくと、その拡径部がタンク導入部の開口端に当接した時点で、それ以上の締め付けが不能となるので、締め付け完了を容易に把握することができる。
【００１０】
一方、前記工具係合部を、前記連結部材の外周に凹設された周溝の底面に設けることもできる。このような構成とすれば、工具係合部に係合可能な工具は、周溝内に差し込むことのできるサイズ（厚さ）のものに限定される。このため、周溝の幅を、汎用工具が差し込み不能なサイズにしておけば、一般的に入手しやすい汎用工具を用いて連結部材を緩めるなどの悪戯を防止することができる。
【００１１】
この場合、前記工具係合部として、前記連結部材の回転軸心を挟んで互いに平行をなす少なくとも一対の平面部を前記連結部材の外周に設けることができる。このような構成とすれば、スパナなどの工具を、一対の平面部に係合させて連結部材を回転させることが可能となるため、比較的簡単な形状の工具係合部でありながら、確実な工具との係合状態を得ることができる。
【００１２】
一方、前記タンクを前記本体部に対して回転不能に連結するため、前記ストッパ部材と前記タンク導入部との間に互いに係脱可能な嵌合手段を設けることもできる。このような構成とすれば、タンクを回転させること自体が不可能となるため、過誤や悪戯によってタンクに回転力が加えられても、タンクと本体部との連結部分が緩んだり、タンクが本体部から外れたりすることがなくなる。
【００１３】
この場合、前記嵌合手段として、前記ストッパ部材の外周および前記タンク導入部の内周に互いに嵌合可能なスプライン構造を設けることが望ましい。このような構成とすれば、本体部に対するタンクの連結、離脱時の作業性を阻害することなく、確実なタンクの回転防止効果を得ることができる。
【発明の効果】
【００１４】
本発明により、悪戯や過誤によりタンクに回転力が加えられても、タンクと本体部との連結部分が緩んだり、タンクが本体部から外れたりすることのない、水石鹸吐出装置を提供することができる。
【発明を実施するための最良の形態】
【００１５】
以下、図面に基づいて、本発明の実施の形態について説明する。図１は本発明の実施の形態である水石鹸吐出装置が配置された洗面台付近を示す斜視図、図２は図１に示す水石鹸吐出装置の平面図、図３は図２におけるＡ−Ａ線断面図、図４は図１に示す水石鹸吐出装置の分解斜視図、図５は図１に示す水石鹸吐出装置のタンク付近の分解斜視図である。また、図８は水石鹸吐出装置の組み立て・分解に使用する専用工具を示す斜視図である。
【００１６】
図１，２に示すように、本実施形態の水石鹸吐出装置１０は、洗面所（図示せず）に設置された水栓装置１３付きの洗面台１１と鏡１２との間の壁面Ｗに取り付けられている。図３〜図５に示すように、水石鹸吐出装置１０は、水石鹸を収容するための円筒形状のタンク１４と、タンク１４の下面部分に突設された円筒状開口部１４ａを受け入れるタンク導入部１５と、この円筒状開口部１４ａから供給される水石鹸を吐出する吐出口１６と、円筒状開口部１４ａから吐出口１６へ至る流路を開閉することによって吐出口１６からの水石鹸の吐出停止を行う弁機構１８とを有し、壁面Ｗに取り付け可能な本体部１９と、タンク１４を本体部１９のタンク導入部１５と連通した状態で着脱可能に取り付けるための連結機構２０と、を備えている。
【００１７】
本体部１９は、突出桿２２ａを有する固定具２２と、固定具２２を被うカバー２４とを介して、壁面Ｗに固定されている。固定具２２は３本のネジ２１によって壁面Ｗに固定され、突出桿２２ａの基端部を含む正面部分を被うようにカバー２４が取り付けられている。本体部１９は、その背面部に開口した状態で設けられた係止孔１９ａ内に、固定具２２の突出桿２２ａが挿入されるようにして取り付けられ、本体部１９の下面から上方に向かってネジ２３を差し込み、突出桿２２ａに開設された雌ネジ孔２２ｂに螺着することによって固定具２２に固定されている。本体部１９の係止孔１９ａ内に突出桿２２ａが挿入されるとき、係止孔１９ａ内に設けられた突起部１９ｃと、突出桿２２ａの先端部に設けられた平面部２２ｃとを面接触させることにより、両者の位置が一義的に定められる。
【００１８】
吐出口１６からの水石鹸の吐出停止を行う弁機構１８は、吐出口１６と同軸上に配置されたバルブシート２５と、バルブシート２５の上面側に昇降可能に配置された弁体２６ａ付きの操作桿２６と、弁体２６ａを含む操作桿２６全体をバルブシート２５側へ付勢するバネ２７と、バネ２７を弁体２６ａ側へ押圧固定するハット状の固定具２８と、を備えている。
【００１９】
タンク１４を本体部１９のタンク導入部１５に着脱可能に取り付ける連結機構２０は、タンク１４の下面部分に突設された円筒状開口部１４ａの外周に回転可能に装着された短筒状の連結部材２９と、連結部材２９外周に設けられた雄ネジ部２９ａを螺合させるため本体部１９のタンク導入部１５内周に設けられた雌ネジ部１５ａと、連結部材２９を円筒状開口部１４ａ外周に離脱不能に取り付けるためのストッパ部材３０と、を備えている。そして、連結部材２９の上端側外周には、タンク導入部１５の開口端よりも大きな外径を有する拡径部２９ｃが形成され、拡径部２９ｃの外周に、スパナなどの工具を係合させるための工具係合部として、複数の平面部２９ｂが設けられている。
【００２０】
連結部材２９の内径は、タンク１４の円筒状開口部１４ａの外径より大であるため、図５に示すように、連結部材２９を円筒状開口部１４ａの外周に嵌め込んだ後、円筒状開口部１４ａの端面側に短筒状のストッパ部材３０を取り付けて接着剤などで固着すれば、連結部材２９は円筒状開口部１４ａの外周に回転可能かつ離脱不能に装着される。なお、ストッパ部材３０の外周にはスプライン３０ａが形成され、このスプライン３０ａは、タンク導入部１５内周の底面付近に設けられたスプライン１５ｂと係合可能である。
【００２１】
タンク１４の上面には開口部１４ｂが設けられ、この開口部１４ｂを開閉する蓋体１４ｃが支軸１４ｄを中心に回転可能に取り付けられ、蓋体１４ｃの一部に通気孔１４ｅが設けられている。蓋体１４ｃを支軸１４ｄ中心に回転させるとタンク１４の上面の開口部１４ｂが露出したり、閉塞されたりするので、タンク１４内への水石鹸の補給などを行うことができる。
【００２２】
本実施形態の水石鹸吐出装置１０においては、タンク１４の下面に突設された円筒状開口部１４ａを、弁機構１８およびリング状のシール材３１が装入された状態にある本体部１９のタンク導入部１５に接続する。そして、ストッパ部材３０外周のスプライン３０ａを、タンク導入部１５内周のスプライン１５ｂに係合させるとともに、円筒状開口部１４ａの外周に装着された連結部材２９外周の雄ネジ部２９ａを、タンク導入部１５内周の雌ネジ部１５ａに螺合させる。そして、連結部材２９に設けられた工具係合用の平面部２９ｂに、図８に示す薄板状の専用工具Ｔを係合させて当該連結部材２９を締め付ければ、連結部材２９がタンク導入部１５に固定される。
【００２３】
この状態において、連結部材２９はタンク１４の円筒状開口部１４ａの外周にストッパ部材３０により離脱不能に装着されているため、当該連結部材２９がタンク導入部１５に固定されると、円筒状開口部１４ａがタンク導入部１５に離脱不能に固定され、これによって、タンク１４は本体部１９のタンク導入部１５と連通した状態で連結される。
【００２４】
このとき、連結部材２９はタンク１４の円筒状開口部１４ａの外周に回転可能に装着されているが、円筒状開口部１４ａの下端部に固定されたストッパ部材３０は、スプライン３０ａ，１５ｂによりタンク導入部１５内周に回転不能に係合されている。従って、タンク１４に回転力が加えられてもタンク１４が回転することがない。このため、悪戯や過誤によってタンク１４に回転力が加えられても、タンク１４と本体部１９との連結部分が緩んだり、タンク１４が本体部１９から外れたりすることがない。なお、タンク１４および蓋体１４ｃの材質は限定するものではないが、本実施形態では、これらをステンレス鋼で形成しているため、傷ついたり、錆び付いたりし難く、耐久性に優れている。
【００２５】
また、図５に示すように、工具係合部として、連結部材２９の回転軸心Ｃを挟んで互いに平行をなす二対の平面部２９ｂを連結部材２９の拡径部２９ｃの外周に設けている。従って図８に示す薄板状の専用工具Ｔを一対の平面部２９ｂに係合させれば、連結部材２９を回転させることが可能であり、比較的簡単な形状の工具係合部でありながら、専用工具Ｔを確実に係合させることができる。
【００２６】
また、外周に二対の平面部２９ｂを有する拡径部２９ｃはタンク導入部１５の開口端の内径よりも大径である。従って、連結部材２９を回転させて締め付けていくと、この拡径部２９ｃの下面がタンク導入部１５の開口端に当接するため、連結部材２９を締め付け過ぎることがない。このため、円筒状開口部１４ａの開口端がバルブシート２５に過剰に押し当てられて、バルブシート２５が破損したり、バルブシート２５が変形したりして、そのシール性が損なわれ、水石鹸が漏れてしまうといった不具合を無くすことができる。
【００２７】
水石鹸吐出装置１０の使い方は従来の同装置と同様であり、図３に示すように、本体部１９の下面から突出する操作桿２６を上方に押し上げると、弁体２６ａがバルブシート２５から離れるので、円筒状開口部１４ａの内側に収容されている水石鹸が、操作桿２６と吐出口１６内周との隙間を通過して下方へ吐出される。また、操作桿２６に対する押し上げ力を解除すると、バネ２７の復元力により、操作桿２６が下降して弁体２６ａがバルブシート２５に押圧され隙間が閉塞されるので、水石鹸の吐出が停止する。
【００２８】
次に、図６，図７を参照して、本発明のその他の実施形態について説明する。図６，図７は本発明のその他の実施の形態である水石鹸吐出装置を示す一部切欠断面図である。なお、図６，図７において、図１〜図５に示す符号と同じ符号を付している部分は、前述した水石鹸吐出装置１０の構成部分と同じ機能、効果を発揮する部分であるため、説明を省略する。
【００２９】
図６に示す水石鹸吐出装置５０においては、水石鹸吐出装置１０の連結部材２９と同じ機能を有する連結部材３９の工具係合部として、連結部材３９の外周に沿って周溝３９ｄを凹設し、この周溝３９ｄの底面に、図５で示した平面部２９ｂと同様の平面部３９ｂを設けている。
【００３０】
このような構成とすれば、平面部３９ｂに係合可能な工具は、周溝３９ｄ内に差し込むことのできるサイズ（厚さ）のものに限定される。従って、周溝３９ｄの幅を、汎用工具が差し込み不能なサイズであって、図８に示すように、厚さの小さな専用工具Ｔのみ差し込み可能なサイズとしておけば、一般的に入手しやすい汎用工具を用いて連結部材３９を緩めるなどの悪戯を防止することができる。
【００３１】
また、専用工具Ｔを用いて連結部材３９を締め付けていくと、周溝３９ｄの上方内側面とタンク導入部１５の上縁部１５ｃとの隙間が狭まっていき、最終的には専用工具Ｔが隙間に狭持され締め付け不能となる。従って、この締め付け不能となる状態で所定の締め付けトルクが得られるように設定しておけば、常に適正な締め付けトルクで連結部材３９を締め付けることができるため、締め付け過ぎ、締め付け不足が発生しない。その他の部分の構造、機能は前述した水石鹸吐出装置１０と同様である。
【００３２】
なお、図６においては、連結部材３９のタンク１４寄り領域の外周に、雄ネジ部３９ａおよびタンク導入部１５の開口端より外径が大きな拡径部３９ｃを設けているため、周溝３９ｄは雄ネジ部３９ａと拡径部３９ｃとの境界に位置している。従って、図８に示す専用工具Ｔを周溝３９ｄの底面の平面部３９ｂに係合させて連結部材３９を締め付けていくと、周溝３９ｄの上方に位置する拡径部３９ｃの下面とタンク導入部１５の上縁部１５ｃとの隙間が狭まっていく。そして、最終的には専用工具Ｔがこの隙間に狭持され、且つ拡径部３９ｃの下面に強く当接するため、周溝３９ｄを破損することなく連結部材３９は締め付け不能となる。
【００３３】
次に、図７に示す水石鹸吐出装置６０においては、連結部材３９のタンク１４寄り領域の外周に、タンク導入部１５の上縁部１５ｃの外径よりも大きな外径を有する拡径部３９ｅを設け、工具係合部として、周溝３９ｄの底面の平面部３９ｂの他に、拡径部３９ｅの外周に、互いに平行をなす複数の平面部３９ｂ’を設けている。従って、これらの平面部３９ｂ’にスパナなどの工具を係合させれば、薄型の専用工具Ｔを用いなくても、連結部材３９を回転させることができる。
【産業上の利用可能性】
【００３４】
本発明は、駅、ホテル、デパートなどの公共的施設に設けられたトイレや洗面所において広く利用することができる。
【図面の簡単な説明】
【００３５】
【図１】本発明の実施の形態である水石鹸吐出装置が配置された洗面台付近を示す斜視図である。
【図２】図１に示す水石鹸吐出装置の平面図である。
【図３】図２におけるＡ−Ａ線断面図である。
【図４】図１に示す水石鹸吐出装置の分解斜視図である。
【図５】図１に示す水石鹸吐出装置のタンク付近の分解斜視図である。
【図６】本発明のその他の実施の形態である水石鹸吐出装置を示す一部切欠断面図である。
【図７】本発明のその他の実施の形態である水石鹸吐出装置を示す一部切欠断面図である。
【図８】水石鹸吐出装置の組み立て・分解に使用する専用工具を示す斜視図である。
【符号の説明】
【００３６】
１０，５０，６０  水石鹸吐出装置
１１  洗面台
１２  鏡
１３  水栓装置
１４  タンク
１４ａ  円筒状開口部
１４ｂ  開口部
１４ｃ  蓋体
１４ｄ  支軸
１４ｅ  通気孔
１５  タンク導入部
１５ａ  雌ネジ部
１５ｂ  スプライン
１５ｃ  上縁部
１６  吐出口
１８  弁機構
１９  本体部
１９ａ  係止孔
１９ｃ  突起部
２０  連結機構
２１，２３  ネジ
２２  固定具
２２ａ  突出桿
２２ｂ  雌ネジ孔
２２ｃ  平面部
２４  カバー
２５  バルブシート
２６  操作桿
２６ａ  弁体
２７  バネ
２８  固定具
２９，３９  連結部材
２９ａ，３９ａ  雄ネジ部
２９ｂ，３９ｂ，３９ｂ’  平面部
２９ｃ，３９ｃ，３９ｅ  拡径部
３０  ストッパ部材
３０ａ  スプライン
３１  シール材
３９ｄ  周溝
Ｃ  回転軸心
Ｔ  専用工具
Ｗ  壁面
【図１】
0004706492.tif 000002
【図２】
0004706492.tif 000003
【図３】
0004706492.tif 000004
【図４】
0004706492.tif 000005
【図５】
0004706492.tif 000006
【図６】
0004706492.tif 000007
【図７】
0004706492.tif 000008
【図８】
0004706492.tif 000009